(57)【要約】【課題】本発明は、集塵装置と、それを備えた管理庫に関するもので、管理体が外気に含まれる塵埃の影響を受けにくく、適切な管理が行えるようにすることを目的とする。【解決手段】そして、この目的を達成するために本発明は、本体ケース内に配置した塵埃旋回分離手段は、分離した塵埃を溜める貯留部２１と、この貯留部２１から塵埃を前記本体ケース外に排出させる排出口２２と、この排出口２２を開閉自在に覆った蓋２３と、この蓋２３を開閉駆動するモータを設け、排出口２２の縁には外広がりに形成した傾斜面２２ａを備え、蓋２３は、一辺を軸支して回動する矩形の板体であって、前記板体の残りの三辺はに貯留部２１の内部へ向けて屈曲した屈曲部２３ａと、前記三辺の縁に外広がりの端面２３ｂとを備え、排出口２２の閉止時に端面２３ｂを傾斜面２２ａへ合わせることができるようにした。【選択図】図１３
2017023984.tif 000002
【特許請求の範囲】
【請求項１】
吸気口と排気口を有する本体ケースと、この本体ケース内には、前記吸気口と排気口間に配置し通過した空気から塵埃を分離する塵埃旋回分離手段とを備え、前記排気口には、前記吸気口から吸い込んだ本体ケース外の空気を、前記塵埃旋回分離手段を通過させ、本体ケース外に排出する送風機を備え、前記塵埃旋回分離手段は、分離した塵埃を貯める貯留部を備え、前記貯留部には、この貯留部に溜めた塵埃を、前記本体ケースの下部において外に排出させる排出口と、この排出口を開閉自在に覆った蓋と、この蓋を開閉駆動するモータを設け、このモータと前記送風機を制御部に接続し、所定の時間間隔で前記送風機を停止して前記蓋の開放閉成動作をする集塵装置であって、前記貯留部は、箱体であって底面に前記排出口を備え、前記排出口の縁には外広がりに形成した傾斜面を備え、前記蓋は、一辺を軸支して回動する矩形の板体であって、前記板体の残りの三辺は内周側に前記貯留部の内部へ向けて屈曲した屈曲部と、前記三辺の縁に外広がりの端面とを備え、前記排出口の閉止時に前記端面を前記傾斜面へ合わせることができる集塵装置。
【請求項２】
前記蓋を軸支する軸は、前記箱体の外側で、かつ前記底面よりも上方に配置した請求項１記載の集塵装置。
【請求項３】
前記請求項１、２のいずれか一つに記載の集塵装置を、管理ボックスの換気吸気口部分に配置した管理庫。
【請求項４】
集塵装置の本体ケースの吸気口と、排出口は、管理ボックス外に臨ませ、この集塵装置の本体ケースの排気口は、管理ボックス内に臨ませた請求項３に記載の管理庫。
【請求項５】
管理ボックスには、換気排気口を設けた請求項４に記載の管理庫。
【発明の詳細な説明】
【技術分野】
【０００１】
本発明は、塵埃旋回分離手段を備えた集塵装置と、それを備えた管理庫に関するものである。
【背景技術】
【０００２】
例えば、管理ボックスの内部に、発熱をともなう電子機器を収納する管理庫では、管理ボックスに、換気吸気口と換気排気口を設け、送風機によって、管理ボックス外の空気をこの管理ボックス内に導入し、これによって前記電子機器の冷却を行い、その後、暖気を前記換気排気口から管理ボックス外に排出させるようにしている（これに類似する先行文献としては、例えば下記特許文献１が存在する）。
【先行技術文献】
【特許文献】
【０００３】
【特許文献１】特開２００４−２６００５５号公報
【発明の概要】
【発明が解決しようとする課題】
【０００４】
上記従来例においては、管理ボックス外の空気をこの管理ボックス内に導入することで電子機器の冷却を行うことができるが、管理ボックス外の空気には塵埃が含まれているので、電子機器などの管理体の管理という観点では不適切なものであった。
【０００５】
例えば、電子機器が、塵埃で汚れたり、目詰まりを起こしたり、各種動作不良を起こしたりすることがある。
【０００６】
そこで、本発明は、管理体の目視による管理の頻度を低くすることを目的とするものである。
【課題を解決するための手段】
【０００７】
そして、この目的を達成するために本発明は、吸気口と排気口を有する本体ケースと、この本体ケース内には、前記吸気口と排気口間に配置し通過した空気から塵埃を分離する塵埃旋回分離手段とを備え、前記排気口には、前記塵埃旋回分離手段を通過させた空気を本体ケース外に排出する送風機を備え、前記塵埃旋回分離手段は、分離した塵埃を貯める貯留部を備え、前記貯留部には、この貯留部に溜めた塵埃を、前記本体ケースの下部において外に排出させる排出口と、この排出口を開閉自在に覆った蓋と、この蓋を開閉駆動するモータを設け、このモータと前記送風機を制御部に接続し、所定の時間間隔で前記送風機を停止して前記蓋の開放閉成動作をする集塵装置であって、前記貯留部は、箱体であって底面に前記排出口を備え、前記排出口の縁には外広がりに形成した傾斜面を備え、前記蓋は、一辺を軸支して回動する矩形の板体であって、前記板体の残りの三辺は前記貯留部の内部へ向けて屈曲した屈曲部と、前記三辺の縁が外広がりになる端面とを備え、前記排出口の閉止時に前記端面を前記傾斜面へ合わせることができることで、これにより所期の目的を達成するものである。
【発明の効果】
【０００８】
以上のように本発明は、吸気口と排気口を有する本体ケースと、この本体ケース内には、前記吸気口と排気口間に配置し通過した空気から塵埃を分離する塵埃旋回分離手段とを備え、前記排気口には、前記吸気口から吸い込んだ本体ケース外の空気を、前記塵埃旋回分離手段を通過させ、本体ケース外に排出する送風機を備え、前記塵埃旋回分離手段は、分離した塵埃を貯める貯留部を備え、前記貯留部には、この貯留部に溜めた塵埃を、前記本体ケースの下部において外に排出させる排出口と、この排出口を開閉自在に覆った蓋と、この蓋を開閉駆動するモータを設け、このモータと前記送風機を制御部に接続し、所定の時間間隔で前記送風機を停止して前記蓋の開放閉成動作をする集塵装置であって、前記貯留部は、箱体であって底面に前記排出口を備え、前記排出口の縁には外広がりに形成した傾斜面を備え、前記蓋は、一辺を軸支して回動する矩形の板体であって、前記板体の残りの三辺は前記貯留部の内部へ向けて屈曲した屈曲部と、前記三辺の縁に外広がりの端面とを備え、前記排出口の閉止時に前記端面を前記傾斜面へ合わせることができるので、本体ケース外の空気から塵埃を除去した空気を管理ボックス内へ導入するとともに、貯留部に溜めた塵埃は、所定の時間間隔で蓋の開放閉成動作によっての排出されることとなり、管理体の目視による管理の頻度を低くすることができる。
【図面の簡単な説明】
【０００９】
【図１】本発明の実施の形態１にかかる集塵装置を設置した管理庫を示す図
【図２】同集塵装置で前面カバーを外した斜視図
【図３】同集塵装置の縦断面図
【図４】同集塵装置の前面カバーを外した正面図
【図５】同集塵装置の塵埃旋回分離手段の正面側の斜視図
【図６】同集塵装置の塵埃旋回分離手段の背面側の斜視図
【図７】同集塵装置の塵埃旋回分離手段の一部の斜視図
【図８】同集塵装置の塵埃旋回分離手段の一部の断面図
【図９】同集塵装置の塵埃旋回分離手段の一部の斜視図
【図１０】同集塵装置の制御ブロック図
【図１１】同集塵装置の動作フローチャート
【図１２】同集塵装置の塵埃旋回分離手段の蓋の斜視図
【図１３】Ｂ部拡大断面図
【図１４】蓋の模式図
【図１５】同集塵装置の塵埃旋回分離手段の側面図
【図１６】Ｃ−Ｃ断面の一部の拡大図
【図１７】Ｄ部拡大断面図
【発明を実施するための形態】
【００１０】
本発明に係わる集塵装置は、吸気口と排気口を有する本体ケースと、この本体ケース内には、前記吸気口と排気口間に配置し通過した空気から塵埃を分離する塵埃旋回分離手段とを備え、前記排気口には、前記吸気口から吸い込んだ本体ケース外の空気を、前記塵埃旋回分離手段を通過させ、本体ケース外に排出する送風機を備え、前記塵埃旋回分離手段は、分離した塵埃を貯める貯留部を備え、前記貯留部には、この貯留部に溜めた塵埃を、前記本体ケースの下部において外に排出させる排出口と、この排出口を開閉自在に覆った蓋と、この蓋を開閉駆動するモータを設け、このモータと前記送風機を制御部に接続し、所定の時間間隔で前記送風機を停止して前記蓋の開放閉成動作をする集塵装置であって、前記貯留部は、箱体であって底面に前記排出口を備え、前記排出口の縁には外広がりに形成した傾斜面を備え、前記蓋は、一辺を軸支して回動する矩形の板体であって、前記板体の残りの三辺は前記貯留部の内部へ向けて屈曲した屈曲部と、前記三辺の縁に外広がりの端面とを備え、前記排出口の閉止時に前記端面を前記傾斜面へ合わせることができるものである。
【００１１】
これにより、本体ケース外の空気から塵埃を除去した空気を管理ボックス内へ導入するとともに、貯留部に溜めた塵埃は、所定の時間間隔で蓋の開放閉成動作によっての排出されることとなり、管理体の目視による管理の頻度を低くすることができる。
【００１２】
すなわち、本発明では、送風機によって供給された本体ケース外の空気から塵埃を、塵埃旋回分離手段によって分離し、その後、排気口を介して本体ケース外に排出する構成としたので、管理体が塵埃の影響を受けにくく、適切な管理が行えるようになるのである。
【００１３】
また、本発明においては、塵埃旋回分離手段によって分離された塵埃は貯留部に溜められるが、モータによって蓋を開放動作させることで、貯留部外に排出することが出来るので、貯留部に塵埃が大量に溜まることで、塵埃旋回分離手段による塵埃分離性能が低下することも、防止できる。
【００１４】
さらに、本発明においては、蓋の端部が貯留部の内側へ向けて屈曲した屈曲部と、屈曲部の縁に外広がりの端面とを備えることで、モータによって蓋を開放動作させた際、貯留部に溜められた塵埃が蓋の端部に付着し、閉鎖動作させた際、蓋に残った塵埃によって、蓋と貯留部との間に隙間ができることで、塵埃旋回分離手段による塵埃分離性能が低下することも、防止できる。
【００１５】
また、本発明に係わる集塵装置は、前記蓋を軸支する軸は、前記箱体の外側で、かつ前記底面よりも上方に配置したものである。
【００１６】
これにより、蓋を軸支している側と反対側の端部と排出口の端部が接触しても、擦れ合うことなく開放動作をスムーズに行うことができる。
【００１７】
また、本発明に係わる管理庫は、前記集塵装置を、管理ボックスの換気吸気口部分に配置したものである。
【００１８】
これにより、ダクトを用いずに集塵装置を設置することができ、また管理庫外の空気を集塵装置を通過させることで、空気中に含まれる塵埃を集塵装置で除去してから管理庫内へ供給することができる。つまり省スペースで集塵装置を設置することができ、また管理体が粉塵で故障することを防ぐことができる。
【００１９】
また、本発明に係わる管理庫は、集塵装置の本体ケースの吸気口と、排出口は、管理ボックス外に臨ませ、この集塵装置の本体ケースの排気口は、管理ボックス内に臨ませたものである。
【００２０】
これにより、管理ボックス外の空気に含まれる塵埃を、集塵装置によって取り除き、塵埃が取り除かれた空気を管理ボックス内に導入し、排出口は管理ボックス外に位置しているので、上記溜まった塵埃は、所定の時間間隔で管理ボックス外に排出されることとなるので、管理体の目視による管理の頻度を低くすることができる。
【００２１】
また、本発明に係わる管理庫は、管理ボックスには、換気排気口を設けたものである。
【００２２】
これにより、吸気口から管理庫内に外気を供給する際に、排気口から同時に管理庫内に空気を排出することが可能となり、所定の風量を供給することができる。
【００２３】
以下、本発明の実施の形態について図面を参照しながら説明する。
【００２４】
（実施の形態１）
図１において、１は箱型の管理ボックスで、内部には、携帯電話の基地局やサーバー等の管理体２が収納されている。
【００２５】
この管理体２は通電により発熱をともなうので、本実施の形態では、管理ボックス１外の空気を、換気吸気口３部分から管理ボックス１内に導入し、前記管理体２を冷却し、それによって暖気となった空気を換気排気口４から管理ボックス１外に排出することで、前記管理体２の冷却を行うようにしている。
【００２６】
本実施形態で特徴的なのは、管理ボックス１の換気吸気口３部分に集塵装置５を設けたことである。
【００２７】
つまり、管理ボックス１外の空気に含まれる塵埃を、集塵装置５によって取り除き、塵埃が取り除かれた空気を管理ボックス１内に導入し、前記管理体２を冷却し、それによって暖気となった空気を換気排気口４から管理ボックス１外に排出することで、前記管理体２の冷却を行うようにしているのである。
【００２８】
図１に示すように、集塵装置５は、管理ボックス１の壁面に開けられた換気吸気口３に直接設置することで、ダクトの引き回しが不要となり、また集塵装置５の一部は管理ボックス１外に突出して設置しているので、管理ボックス１内で最小限のスペースで設置することができる。
【００２９】
換気排気口４は、管理体２を挟んで、集塵装置５とは反対側となる壁面の上部に開けた開口である。また、換気排気口４の外側には、雨・風が直接流入しないようフードが設けられている。また、管理体２で暖められた空気は管理ボックス１内の上部に溜まるため、換気排気口４を上部に、換気吸気口３を下部に配置することで、管理ボックス１内の部屋全体に空気が流れるようにしている。なお、換気排気口４部分に、別途送風機を設けると、換気風量が増加し、管理体２の冷却効果が高くなる。
【００３０】
前記集塵装置５は、図２、図３に示すように、直方体形状（立方体形状でも良い）の本体ケース６を有し、その前面側全面を長方形の吸気口７、背面側全面を長方形の排気口８としている。
【００３１】
また、図３のごとく、本体ケース６内の前記吸気口７と排気口８間には、吸気口７から排気口８に向けて、順に、塵埃旋回分離手段９、フィルター１０Ａを配置し、本体ケースに付属して排気口８の外側に送風機１１Ａを配置している。
【００３２】
塵埃旋回分離手段９は、図４〜図６に示すように、旋回流を形成するための円筒体１０を複数個縦方向に並べた円筒連結体１１、１２、１３、１４、１５、１６を備えている。      
【００３３】
また、円筒連結体１１と１２間、円筒連結体１３と１４間、円筒連結体１５と１６間には、集塵通路１７を設けている。
【００３４】
つまり、各円筒連結体１１、１２、１３、１４、１５、１６を構成する円筒体１０は図７〜図９に示すように、流入口１７Ａから流入した空気を、旋回案内板１８によって旋回させ、この旋回により、空気中に含まれている塵埃を排出穴１９から集塵通路１７内に分離、排出し、塵埃が除かれた空気を流出口２０から図３のフィルター１０Ａ方向に流出させるようにしている。
【００３５】
具体的には、円筒連結体１１は図４、５の右側に排出穴１９が設けられ、この排出穴１９を介して右側の集塵通路１７に連通させている。
【００３６】
また、円筒連結体１２は図４の左側に排出穴１９が設けられ、この排出穴１９を介して左側の集塵通路１７に連通させている。
【００３７】
さらに、円筒連結体１３は図４の右側に排出穴１９が設けられ、この排出穴１９を介して右側の集塵通路１７に連通させている。
【００３８】
また、円筒連結体１４は図４の左側に排出穴１９が設けられ、この排出穴１９を介して左側の集塵通路１７に連通させている。
【００３９】
さらに、円筒連結体１５は図４の右側に排出穴１９が設けられ、この排出穴１９を介して右側の集塵通路１７に連通させている。
【００４０】
また、円筒連結体１６は図４の左側に排出穴１９が設けられ、この排出穴１９を介して左側の集塵通路１７に連通させている。
【００４１】
このような複数本の集塵通路１７の下部には、塵埃旋回分離手段９によって分離された塵埃が下降し、蓄積される貯留部２１が設けられている。
【００４２】
また、この貯留部２１には、図８、図９のごとく、この貯留部２１に溜めた塵埃を、前記本体ケース６外に排出させる排出口２２と、この排出口２２を開閉自在に覆った蓋２３と、この蓋２３を、ギア２４を介して開閉駆動するモータ２５を設けている。
【００４３】
また、このモータ２５と前記送風機１１Ａは、タイマ２６とともに、制御部２７に接続されている。
【００４４】
なお、前記排出口２２は、本体ケース６の下方に開口させているので、吸気口７よりも下方に設けた状態と成っている。
【００４５】
以上の構成において、送風機１１Ａは常時通電された状態となっているので、管理ボックス１外の空気に含まれる塵埃を、集塵装置５によって取り除き、塵埃が取り除かれた空気を管理ボックス１内に導入し、前記管理体２を冷却し、それによって暖気となった空気を換気排気口４から管理ボックス１外に排出することとなり、この結果として、前記管理体２の冷却を行うことができる。
【００４６】
具体的には、塵埃旋回分離手段９は、図４〜図６に示すように、旋回流を形成するための円筒体１０を複数個縦方向に並べた円筒連結体１１、１２、１３、１４、１５、１６を備えている。
【００４７】
また、円筒連結体１１と１２間、円筒連結体１３と１４間、円筒連結体１５と１６間には、集塵通路１７を設けている。
【００４８】
つまり、各円筒連結体１１、１２、１３、１４、１５、１６を構成する円筒体１０は図７〜図９に示すように、流入口１７Ａから流入した空気を、旋回案内板１８によって旋回させ、この旋回により、空気中に含まれている塵埃を排出穴１９から集塵通路１７内に分離、排出し、塵埃が除かれた空気を流出口２０から図３のフィルター１０Ａ方向に流出させるようにしている。
【００４９】
このため、塵埃が取り除かれた空気がフィルター１０Ａを介して管理ボックス１内に導入され、これで、前記管理体２を冷却することができるのである。
【００５０】
なお、管理ボックス１外の空気に含まれる塵埃の内、例えば１０ミクロン以上の大きな塵埃はこの塵埃旋回分離手段９によって分離、除去することが出来るが、それよりも小さな塵埃の一部は塵埃旋回分離手段９を通過してしまう虞があるので、そのような小さな塵埃はフィルター１０Ａを介して管理ボックス１内に導入し、これで、前記管理体２を冷却するようにしている。
【００５１】
話を戻し、塵埃旋回分離手段９で分離され、排出穴１９から集塵通路１７内に排出された塵埃は、下降し、貯留部２１内に溜められることになる。
【００５２】
そのような状態で、例えば、午前７時になると、タイマ２６がその時間を検出し（図１１のＳ１）、次に、制御部２７によって送風機１１Ａへの通電を停止し、送風機１１Ａを停止し（図１１のＳ２）、その後、モータ２５を正回転させる（図１１のＳ３）。
【００５３】
その結果、排出口２２を開閉自在に覆った蓋２３が図８、図９のように開放動作され、これにより、この貯留部２１に溜まった塵埃は、排出口２２から、自重により、前記本体ケース６外に排出される。
【００５４】
本実施形態において、この排出口２２は管理ボックス１外に位置しているので、上記溜まった塵埃は、管理ボックス１外に排出されることとなる。
【００５５】
また、このとき、制御部２７によって送風機１１Ａへの通電を停止し、送風機１１Ａを停止しているので、屋外に廃棄された塵埃が、再び、吸気口７から本体ケース６内に吸い込まれることは少ない。
【００５６】
また、排出口２２を吸気口７よりも下方に配置していることからも、再び、吸気口７から本体ケース６内に吸い込まれることを抑制することが出来る。
【００５７】
その後、例えば午前７時１０分になると（図１１のＳ４）、モータ２５を逆回転させ、蓋２３の閉成動作を行わせる（図１１のＳ５）。
【００５８】
その結果、排出口２２は蓋２３によって閉じられることとなる。
【００５９】
次に、制御部２７はモータ２５で蓋２３を開放動作後、所定時間後に、送風機１１Ａを駆動し、再び、外気によって管理体２の冷却を行う（図１１のＳ６）。
【００６０】
なお、この実施形態では、管理体２が例えば、携帯通信機の基地局などのように、山中などの遠隔地に設置されるもので、上述した貯留部２１に溜まった塵埃を、排出口２２から、前記本体ケース６外に排出しても、近隣への迷惑をかけることは無い。
【００６１】
それよりも、このように貯留部２１に溜まった塵埃を、排出口２２から、前記本体ケース６外に自動的に排出できることは、遠隔地で、メンテナンスが困難な地域に管理体２が設置されている状況では、極めて利便性の高いものと成る。つまり、本体ケース６外の空気から塵埃を除去した空気を管理ボックス１内へ導入するとともに、貯留部２１に溜めた塵埃は、所定の時間間隔で蓋２３の開放閉成動作によっての排出されることとなり、管理体２の目視による管理の頻度を低くすることができる。
【００６２】
本発明の特徴は、蓋２３が開放動作され、貯留部に溜まった塵埃は自重により、本体ケース６外に排出される際に、蓋２３の一部に塵埃が残った場合であっても、蓋２３が閉成動作をした後には、排出口２２と蓋２３との間の隙間が広がらないことである。
【００６３】
図８に示すように、蓋２３は軸２８によって支持されている。この軸２８は、流出口２０よりも下流側であって、排出口２２よりも上部に位置している。つまり、蓋２３が開閉動作する際の回転中心軸は、軸２８とほぼ同軸であり、この回転中心軸は、蓋２３によって開閉する排出口よりも上側に設けている。このことで、蓋２３を軸支している側と反対側の端部と排出口２２の端部が接触しても、擦れ合うことなく開放動作をスムーズに行うことができる。
【００６４】
また、図１２に示すように、蓋２３は長方形状の板体であって、軸支する側の一辺に軸２８を通す軸穴２９を備え、蓋２３にモータの動力を伝達するギヤ部３０を備える。本実施形態ではギヤ部３０は強度確保のため、複数のリブを備えている。
【００６５】
残りの三辺は、前記貯留部の内部へ向けて屈曲した屈曲部２３ａと、前記三辺の縁に外広がりの端面２３ｂとを備え、貯留部２１側へ向かって斜め上へせり上がった構造となっている。図１３は、図８において丸で囲ったＢ部を拡大した断面図であり、屈曲部２３ａ、端面２３ｂの位置関係を示す図である。
【００６６】
端面２３ｂは、排出口２２を形成する構造体の壁面を斜めにカットした形状である。加えて、蓋２３の図１３に示す端面部角度２３ｃは本実施の形態では９０度としている。この端面部角度は９０度以下にする必要がある。その理由は図１４を用いて説明する。
【００６７】
図１４は、蓋２３を開放動作した際の塵埃の動きが分かるように示した模式図である。蓋２３が開放動作すると、塵埃は重力に引っ張られ、蓋２３の表面を滑り落ちていく。端面部角度を９０度以下とすることで、蓋２３が開放動作している時のいかなる角度においても塵埃は端面２３ｂに落ちていかない。つまり、滑り落ちてきた塵埃は端面２３ｂに溜まらない。
【００６８】
そして、図１３で示したように、貯留部の底部は、排出口２２を形成しており、その端部は外広がりに形成した傾斜面２２ａを備えている。蓋２３を閉じている状態では、傾斜面２２ａと端面２３ｂは、ほぼ平行で接触した状態であるため隙間は非常に少なく、排出口２２と蓋２３の間の密閉性を高めることができる。排出口２２と蓋２３の間に隙間があると、送風機を運転した際に、この隙間から外気が流入し、円筒体を通らずに、フィルター１０Ａへ向かうことになる。このため、フィルター１０Ａへの塵埃の貯留が早まることで、フィルター１０Ａの寿命が短くなり、フィルター１０Ａの交換頻度が高くなり、管理ボックス１の管理が増大することとなる。
【００６９】
上述した端面２３ｂは、図１２で示す蓋２３の軸穴２９側と反対側の一辺（長辺側）であったが、短辺側二辺の端面２３ｂも同様の仕組みで端面２３ｂへの塵埃の堆積を防ぐことができ、排出口２２と蓋２３との密閉性が高まる。この部分の構造は図１５〜１７で示しており、図１７で示すように排出口２２を形成する構造体自体を折り曲げ斜めに傾斜し、傾斜面２２ａを形成している。
【００７０】
排出口２２の長辺側の端部（図１３の２２ａ）と短辺側の端部（図１７の２２ａ）は、どちらの構造を採用してもよい。
【００７１】
なお、各傾斜面２２ａと端面２３ｂの間に、さらに密閉性を高めるためにパッキン（ゴム状のもの）を挟んでも良い。
【００７２】
本実施形態では、長方形状の排出口２２の三辺は傾斜面２２ａであったが、蓋２３を軸支する側の残りの一辺には、パッキンを貼り付け（図示せず）、蓋２３との密閉性を高めることもできる。
【００７３】
以上のように、塵埃旋回分離手段９によって分離された塵埃は、貯留部２１に溜められ、制御部により、定期的に蓋２３を開閉動作させることで、貯留部２１の底部にある排出口２２から塵埃を本体ケース６外へ排出させることができるが、矩形状の排出口２２の三辺に傾斜面２２ａを設け、蓋２３の外周三辺の端部近傍を貯留部側に曲げて、蓋２３の端面２３ｂが傾斜面２２ａと合わさるようにしたことで、含塵空気が本体ケース６外から直接貯留部２１へ流入することを防ぐことができる。
【００７４】
つまり、本体ケース６外から排出口２２と蓋２３の隙間を通って、貯留部２１を通過し、塵埃が分離されないままフィルター１０Ａに向かうことを防ぐことができる。逆に排出口２２と蓋２３の間に隙間が生じると、本体ケース６外から貯留部２１を通り塵埃が分離されないままフィルター１０Ａに流れる空気が発生するため、フィルター１０Ａの目詰まりが早まる。また、貯留部２１に溜まった塵埃が巻き上げられ、フィルター１０Ａに飛散する。つまり、塵埃旋回分離手段の分離性能が低下することとなる。フィルター１０Ａの目詰まりが進行すると、送風機１１Ａの風量が減少し、管理体の冷却が十分に行えなくなることがある。
【００７５】
排出口２２と蓋２３の間の、傾斜面２２ａと端面２３ｂによって、本体ケース６外の空気は必ず円筒体１０を通ってフィルター１０Ａに向かうことになるため、フィルター１０Ａの目詰まりを抑制し、管理体の管理が適切に行える。
【産業上の利用可能性】
【００７６】
以上のように本発明は、送風機によって供給された本体ケース外の空気から塵埃を、塵埃旋回分離手段によって分離し、その後、排気口を介して本体ケース外に排出する構成としたので、管理体が外気に含まれる塵埃の影響を受けにくく、適切な管理が行えるようになるのである。また、本発明においては、塵埃旋回分離手段によって分離された塵埃は貯留部に溜められ、モータによって蓋を定期的に開放動作させることで、貯留部外に排出することが出来るが、蓋の端部を屈曲させた端面と、貯留部側の傾斜面が合わさる構造としたので、蓋の閉止時に、塵埃によって蓋と貯留部との間の隙間が大きくなることを防止でき、塵埃分離性能を維持することができる。
【００７７】
したがって、各種管理体の冷却を行う集塵装置として活用することが期待される。
【符号の説明】
【００７８】
１  管理ボックス
２  管理体
３  換気吸気口
４  換気排気口
５  集塵装置
６  本体ケース
７  吸気口
８  排気口
９  塵埃旋回分離手段
１０  円筒体
１０Ａ  フィルター
１１Ａ  送風機
１１  円筒連結体
１２  円筒連結体
１３  円筒連結体
１４  円筒連結体
１５  円筒連結体
１６  円筒連結体
１７  集塵通路
１７Ａ  流入口
１８  旋回案内板
１９  排出穴
２０  流出口
２１  貯留部
２２  排出口
２２ａ  傾斜面
２３  蓋
２３ａ  屈曲部
２３ｂ  端面
２３ｃ  端面部角度
２４  ギア
２５  モータ
２６  タイマ
２７  制御部
２８  軸
２９  軸穴
３０  ギヤ部
【図１】
2017023984.tif 000003
【図２】
2017023984.tif 000004
【図３】
2017023984.tif 000005
【図４】
2017023984.tif 000006
【図５】
2017023984.tif 000007
【図６】
2017023984.tif 000008
【図７】
2017023984.tif 000009
【図８】
2017023984.tif 000010
【図９】
2017023984.tif 000011
【図１０】
2017023984.tif 000012
【図１１】
2017023984.tif 000013
【図１２】
2017023984.tif 000014
【図１３】
2017023984.tif 000015
【図１４】
2017023984.tif 000016
【図１５】
2017023984.tif 000017
【図１６】
2017023984.tif 000018
【図１７】
2017023984.tif 000019